(57)【特許請求の範囲】
【請求項１】
他の情報と同期した状態で情報を伝送する第２伝送態様、又は、他の情報と非同期の状態で情報を伝送する第１伝送態様であって前記第２伝送態様による伝送よりも高速で前記情報を伝送する第１伝送態様のいずれかにより前記情報を伝送することが可能な伝送手段を介して複数の情報処理装置が相互に接続されている情報伝送システムにおいて、
各前記情報処理装置は、
前記情報を暗号化するための暗号処理情報をＤＴＣＰ（Digital Transmission Copy Protection）規格に基づいて暗号化し、該暗号化された情報を前記第２伝送態様により前記伝送手段を介して当該情報処理装置間で相互に授受するための第２授受手段と、
各前記情報処理装置間で授受すべき前記情報である特定情報を前記暗号処理情報を用いて暗号化して得られる暗号化特定情報を、前記第１伝送態様により前記伝送手段を介して当該情報処理装置間で相互に授受するための第１授受手段と、
を夫々備えることを特徴とする情報伝送システム。
【請求項２】
他の情報と同期した状態で情報を伝送する第２伝送態様、又は、他の情報と非同期の状態で情報を伝送する第１伝送態様であって前記第２伝送態様による伝送よりも高速で前記情報を伝送する第１伝送態様のいずれかにより前記情報を伝送することが可能な伝送手段を介して複数の情報処理装置が相互に接続されている情報伝送システムにおける情報伝送方法において、
前記情報を暗号化するための暗号処理情報をＤＴＣＰ（Digital Transmission Copy Protection）規格に基づいて暗号化し、該暗号化された情報を前記第２伝送態様により前記伝送手段を介して当該情報処理装置間で相互に授受する第１授受工程と、
各前記情報処理装置間で授受すべき前記情報である特定情報を前記暗号処理情報を用いて暗号化して得られる暗号化特定情報を、前記第１伝送態様により前記伝送手段を介して当該情報処理装置間で相互に授受する第２授受工程と、
を備えることを特徴とする情報伝送方法。
【請求項３】
他の情報と同期した状態で情報を伝送する第２伝送態様、又は、他の情報と非同期の状態で情報を伝送する第１伝送態様であって前記第２伝送態様による伝送よりも高速で前記情報を伝送する第１伝送態様のいずれかにより前記情報を伝送することが可能な伝送手段を介して、情報受信装置に対して前記情報を送信する情報送信装置において、
前記情報を暗号化するための暗号処理情報を用いて、当該情報受信装置に送信すべき前記情報である特定情報を暗号化し暗号化特定情報を生成する第１暗号化手段と、
前記生成された暗号化特定情報を、前記第１伝送態様により前記伝送手段を介して前記情報受信装置に送信する第１送信手段と、
前記暗号処理情報自体をＤＴＣＰ（Digital Transmission Copy Protection）規格に基づいて暗号化し、暗号化処理情報を生成する第２暗号化手段と、
前記生成された暗号化処理情報を、前記第２伝送態様により前記伝送手段を介して前記情報受信装置に送信する第２送信手段と、
を備えることを特徴とする情報送信装置。
【請求項４】
請求項３に記載の情報送信装置において、
前記特定情報はＡＶ（Audio Visual）情報であると共に、
前記暗号処理情報は当該ＡＶ情報を暗号化するための暗号化キー及び暗号化テーブルであることを特徴とする情報送信装置。
【請求項５】
請求項３又は４に記載の情報送信装置において、
前記伝送手段は、ＩＥＥＥ（Institute of Electrical and Electronic Engineers）１３９４規格に準拠して前記暗号化特定情報及び前記暗号化処理情報を伝送すると共に、
前記第１伝送態様は前記ＩＥＥＥ１３９４規格におけるアシンクロナス伝送モードであり、前記第２伝送態様は当該ＩＥＥＥ１３９４規格におけるアイソクロナス伝送モードであることを特徴とする情報送信装置。
【請求項６】
他の情報と同期した状態で情報を伝送する第２伝送態様、又は、他の情報と非同期の状態で情報を伝送する第１伝送態様であって前記第２伝送態様による伝送よりも高速で前記情報を伝送する第１伝送態様のいずれかにより前記情報を伝送することが可能な伝送手段を介して、情報受信装置に対して前記情報を送信する情報送信方法において、
前記情報を暗号化するための暗号処理情報を用いて、当該情報受信装置に送信すべき前記情報である特定情報を暗号化し暗号化特定情報を生成する第１暗号化工程と、
前記生成された暗号化特定情報を、前記第１伝送態様により前記伝送手段を介して前記情報受信装置に送信する第１送信工程と、
前記暗号処理情報自体をＤＴＣＰ（Digital Transmission Copy Protection）規格に基づいて暗号化し、暗号化処理情報を生成する第２暗号化工程と、
前記生成された暗号化処理情報を、前記第２伝送態様により前記伝送手段を介して前記情報受信装置に送信する第２送信工程と、
を備えることを特徴とする情報送信方法。
【請求項７】
請求項３から５のいずれか一項に記載の情報送信装置から送信された前記暗号化特定情報を受信する情報受信装置であって、
前記暗号化特定情報を前記伝送手段から取得する第１取得手段と、
前記暗号化処理情報を前記伝送手段から取得する第２取得手段と、
前記取得された暗号化処理情報を解読し、前記暗号処理情報を生成する第２解読手段と、
前記生成された暗号処理情報を用いて前記暗号化特定情報を解読し、前記特定情報を生成する第１解読手段と、
を備えることを特徴とする情報受信装置。
【請求項８】
請求項７に記載の情報受信装置において、
前記生成された特定情報を予め設定された記録媒体に記録する記録手段を更に備えることを特徴とする情報受信装置。
【請求項９】
請求項３から５のいずれか一項に記載の情報送信装置から送信された前記暗号化特定情報を受信する情報受信装置における情報受信方法であって、
前記暗号化特定情報を前記伝送手段から取得する第１取得工程と、
前記暗号化処理情報を前記伝送手段から取得する第２取得工程と、
前記取得された暗号化処理情報を解読し、前記暗号処理情報を生成する第２解読工程と、
前記生成された暗号処理情報を用いて前記暗号化特定情報を解読し、前記特定情報を生成する第１解読工程と、
を備えることを特徴とする情報受信方法。
【請求項１０】
他の情報と同期した状態で情報を伝送する第２伝送態様、又は、他の情報と非同期の状態で情報を伝送する第１伝送態様であって前記第２伝送態様による伝送よりも高速で前記情報を伝送する第１伝送態様のいずれかにより前記情報を伝送することが可能な伝送手段と、当該伝送手段を介して前記情報を送信する情報送信装置と、前記送信された情報を前記伝送手段を介して受信すると情報受信装置と、を含む情報伝送システムにおいて、
前記情報送信装置は、
前記情報を暗号化するための暗号処理情報を用いて、当該情報受信装置に送信すべき前記情報である特定情報を暗号化し暗号化特定情報を生成する第１暗号化手段と、
前記生成された暗号化特定情報を、前記第１伝送態様により前記伝送手段を介して前記情報受信装置に送信する第１送信手段と、
前記暗号処理情報自体をＤＴＣＰ（Digital Transmission Copy Protection）規格に基づいて暗号化し、暗号化処理情報を生成する第２暗号化手段と、
前記生成された暗号化処理情報を、前記第２伝送態様により前記伝送手段を介して前記情報受信装置に送信する第２送信手段と、を備えると共に、
前記情報受信装置は、
前記暗号化特定情報を前記伝送手段から取得する第１取得手段と、
前記暗号化処理情報を前記伝送手段から取得する第２取得手段と、
前記取得された暗号化処理情報を解読し、前記暗号処理情報を生成する第２解読手段と、
前記生成された暗号処理情報を用いて前記暗号化特定情報を解読し、前記特定情報を生成する第２解読手段と、
を備えることを特徴とする情報伝送システム。
【請求項１１】
他の情報と同期した状態で情報を伝送する第２伝送態様、又は、他の情報と非同期の状態で情報を伝送する第１伝送態様であって前記第２伝送態様による伝送よりも高速で前記情報を伝送する第１伝送態様のいずれかにより前記情報を伝送することが可能な伝送手段を介して、情報受信装置に対して前記情報を送信する情報送信装置に含まれる送信コンピュータを、
前記情報を暗号化するための暗号処理情報を用いて、当該情報受信装置に送信すべき前記情報である特定情報を暗号化し暗号化特定情報を生成する第１暗号化手段、
前記生成された暗号化特定情報を、前記第１伝送態様により前記伝送手段を介して前記情報受信装置に送信する第１送信手段、
前記暗号処理情報自体をＤＴＣＰ（Digital Transmission Copy Protection）規格に基づいて暗号化し、暗号化処理情報を生成する第２暗号化手段、及び、
前記生成された暗号化処理情報を、前記第２伝送態様により前記伝送手段を介して前記情報受信装置に送信する第２送信手段、
として機能させることを特徴とする送信制御プログラムが前記送信コンピュータで読取可能に記録された情報記録媒体。
【請求項１２】
請求項１１に記載の情報送信装置から送信された前記暗号化特定情報を受信する情報受信装置に含まれる受信コンピュータを、
前記暗号化特定情報を前記伝送手段から取得する第１取得手段、
前記暗号化処理情報を前記伝送手段から取得する第２取得手段、
前記取得された暗号化処理情報を解読し、前記暗号処理情報を生成する第２解読手段、及び、
前記生成された暗号処理情報を用いて前記暗号化特定情報を解読し、前記特定情報を生成する第１解読手段、
として機能させることを特徴とする受信制御プログラムが前記受信コンピュータで読取可能に記録された情報記録媒体。
【発明の詳細な説明】
【０００１】
【発明の属する技術分野】
本発明は、情報送信装置及び情報送信方法、情報受信装置及び情報受信方法、情報伝送システム及び情報伝送方法並びに情報記録媒体の技術分野に属し、より詳細には、暗号化された情報及び当該暗号化に用いられた暗号処理情報を共に送受信することが可能な情報送信装置及び情報送信方法、情報受信装置及び情報受信方法、当該情報送信装置及び情報受信装置を含む情報伝送システム及び情報伝送方法並びに送信制御プログラム又は受信制御プログラムが記録された情報記録媒体の技術分野に属する。
【０００２】
【従来の技術】
従来、放送電波を用いて放送されている音楽情報等を放送受信用のセットトップボックスにより受信し、これを光ディスク等の記録媒体に情報記録装置を用いて記録することが行われている。
【０００３】
一方、近年では、画像圧縮技術及び高密度記録技術の発展に鑑み、一本の映画等を放送電波を介して配信し、これを例えばＤＶＤ（従来のＣＤ（Compact  Disc）よりも数倍記録容量を高めた光ディスク）等の記録容量の高い情報記録媒体に記録することが実行されている。
【０００４】
ここで、上述したような音楽情報等の配信においては、当該音楽情報等における著作権をどのように保護するかが問題となっており、この点、従来では、当該セットトップボックスから上記情報記録装置に至るまでの伝送経路上及び情報記録媒体への記録時の双方においていわゆる暗号化を行った上で配信又は記録を行うこととされていた。
【０００５】
このとき、近年においては、当該セットトップボックスと情報記録装置との間においていわゆるＩＥＥＥ１３９４規格（正式名称は、「IEEE  Std.1394-1995  IEEE  Standard  for  a  High  Performance  Serial  Bus」である。）に準拠した伝送態様で音楽情報等が伝送される場合が多いが、この場合には、当該セットトップボックスと情報記録装置との間では、著作権保護のための規格としていわゆるＤＴＣＰ（Digital  Transmission  Copy  Protection）規格に基づいた著作権保護が為されている場合が多かった。
【０００６】
一方、上記ＤＴＣＰ規格においては、予め設定されている暗号化のための暗号処理情報を用いて暗号化した上記音楽情報等をセットトップボックスから情報記録装置に伝送すると共に、当該暗号処理情報自体も暗号化し、それをやはりセットトップボックスから情報記録装置に伝送し、当該情報記録装置においては伝送された暗号処理情報を用いて音楽情報等の暗号化を解読して記録する構成とされている。
【０００７】
そして、従来においては、上記暗号化された音楽情報等はＩＥＥＥ１３９４規格におけるいわゆるアイソクロナス伝送モードを用いてＤＴＣＰ規格により伝送されていた。
【０００８】
なお、上記ＤＴＣＰ規格については、インターネット上でＤＴＬＡ（Digital  Transmission  Licensing  Administrator）によりその内容が詳細に公開されている（ＵＲＬは、 HYPERLINK http://www.dtcp/com/ http://www.dtcp.comである。）。
【０００９】
【発明が解決しようとする課題】
しかしながら、上記従来の構成においては、暗号化された音楽情報等がＩＥＥＥ１３９４規格におけるアイソクロナス伝送モードを用いてＤＴＣＰ規格により伝送されているが、一方、現在ＤＴＬＡにおいては当該ＤＴＣＰ規格による情報伝送における伝送速度は記録後の音楽情報等の再生速度と同一の速度しか使用認可されておらず、結局ＩＥＥＥ１３９４規格の特性を最大限に活用して暗号化された音楽情報等を高速にセットトップボックスから情報記録装置に伝送することができないという問題点があった。
【００１０】
また、上記従来の構成においては、ＤＴＣＰ規格により伝送中は著作権の保護が図られていると言えるが、セットトップボックスにおけるＤＴＣＰ規格に基づいた暗号化前及び情報記録装置における解読後においては、音楽情報等が暗号化されていない状態となり得るため、夫々の段階では著作権情報の保護が不十分であるという問題点があった。
【００１１】
そこで、本発明は、上記の各問題点に鑑みて為されたもので、その課題は、暗号処理情報を用いて暗号化された音楽情報等を伝送する場合に、当該音楽情報等を暗号化された状態で秘匿性を高めつつ高速且つ大量に伝送することが可能な情報送信装置及び情報送信方法、情報受信装置及び情報受信方法、当該情報送信装置及び情報受信装置を含む情報伝送システム及び情報伝送方法並びに送信制御プログラム又は受信制御プログラムが記録された情報記録媒体を提供することにある。
【００１２】
【課題を解決するための手段】
上記の課題を解決するために、請求項１に記載の発明は、他の情報と同期した状態で情報を伝送する第２伝送態様、又は、他の情報と非同期の状態で情報を伝送する第１伝送態様であって前記第２伝送態様による伝送よりも高速で前記情報を伝送する第１伝送態様のいずれかにより前記情報を伝送することが可能な伝送手段を介して複数の情報処理装置が相互に接続されている情報伝送システムにおいて、各前記情報処理装置は、前記情報を暗号化するための暗号処理情報をＤＴＣＰ（Digital Transmission Copy Protection）規格に基づいて暗号化し、該暗号化された情報を前記第２伝送態様により前記伝送手段を介して当該情報処理装置間で相互に授受するためのインタフェース部等の第２授受手段と、各前記情報処理装置間で授受すべき前記情報である特定情報を前記暗号処理情報を用いて暗号化して得られる暗号化特定情報を、前記第１伝送態様により前記伝送手段を介して当該情報処理装置間で相互に授受するためのインタフェース部等の第１授受手段と、を夫々備える。
【００１３】
よって、暗号化特定情報を高速の第１伝送態様で送受信すると共に、暗号処理情報を第２伝送態様で送受信するので、情報処理装置間で送受信すべき特定情報を暗号化された状態で高速且つ大量に送受信することができる。
【００１４】
また、送信前に特定情報が暗号化されるので、当該特定情報の秘匿性を高めつつ送信することができる。
【００１５】
上記の課題を解決するために、請求項２に記載の発明は、他の情報と同期した状態で情報を伝送する第２伝送態様、又は、他の情報と非同期の状態で情報を伝送する第１伝送態様であって前記第２伝送態様による伝送よりも高速で前記情報を伝送する第１伝送態様のいずれかにより前記情報を伝送することが可能な伝送手段を介して複数の情報処理装置が相互に接続されている情報伝送システムにおける情報伝送方法において、前記情報を暗号化するための暗号処理情報をＤＴＣＰ（Digital Transmission Copy Protection）規格に基づいて暗号化し、該暗号化された情報を前記第２伝送態様により前記伝送手段を介して当該情報処理装置間で相互に授受する第１授受工程と、各前記情報処理装置間で授受すべき前記情報である特定情報を前記暗号処理情報を用いて暗号化して得られる暗号化特定情報を、前記第１伝送態様により前記伝送手段を介して当該情報処理装置間で相互に授受する第２授受工程と、を備える。
【００１６】
よって、暗号化特定情報を高速の第１伝送態様で送受信すると共に、暗号処理情報を第２伝送態様で送受信するので、情報処理装置間で送受信すべき特定情報を暗号化された状態で高速且つ大量に送受信することができる。
【００１７】
また、送信前に特定情報が暗号化されるので、当該特定情報の秘匿性を高めつつ送信することができる。
【００１８】
上記の課題を解決するために、請求項３に記載の発明は、他の情報と同期した状態で情報を伝送する第２伝送態様、又は、他の情報と非同期の状態で情報を伝送する第１伝送態様であって前記第２伝送態様による伝送よりも高速で前記情報を伝送する第１伝送態様のいずれかにより前記情報を伝送することが可能なシリアルバス等の伝送手段を介して、情報受信装置に対して前記情報を送信する情報送信装置において、前記情報を暗号化するための暗号処理情報を用いて、当該情報受信装置に送信すべき前記情報である特定情報を暗号化し暗号化特定情報を生成する暗号化部等の第１暗号化手段と、前記生成された暗号化特定情報を、前記第１伝送態様により前記伝送手段を介して前記情報受信装置に送信するインタフェース部等の第１送信手段と、前記暗号処理情報自体をＤＴＣＰ（Digital Transmission Copy Protection）規格に基づいて暗号化し、暗号化処理情報を生成するＤＴＣＰ暗号化部等の第２暗号化手段と、前記生成された暗号化処理情報を、前記第２伝送態様により前記伝送手段を介して前記情報受信装置に送信するインタフェース部等の第２送信手段と、を備える。
【００１９】
よって、暗号化特定情報を高速の第１伝送態様で送信すると共に、暗号化処理情報を第２伝送態様で送信するので、情報受信装置に送信すべき特定情報を暗号化された状態で高速且つ大量に送信することができる。
【００２０】
また、送信前に特定情報が暗号化されるので、当該特定情報の秘匿性を高めつつ情報受信装置に送信することができる。
【００２１】
上記の課題を解決するために、請求項４に記載の発明は、請求項３に記載の情報送信装置において、前記特定情報はＡＶ情報であると共に、前記暗号処理情報は当該ＡＶ情報を暗号化するための暗号化キー及び暗号化テーブルであるように構成される。
【００２２】
よって、必要なＡＶ情報を秘匿性を高めつつ高速且つ大量に送信することができる。
【００２３】
上記の課題を解決するために、請求項５に記載の発明は、請求項３又は４に記載の情報送信装置において、前記伝送手段は、ＩＥＥＥ１３９４規格に準拠して前記暗号化特定情報及び前記暗号化処理情報を伝送すると共に、前記第１伝送態様は前記ＩＥＥＥ１３９４規格におけるアシンクロナス伝送モードであり、前記第２伝送態様は当該ＩＥＥＥ１３９４規格におけるアイソクロナス伝送モードであるように構成される。
【００２４】
よって、アシンクロナス伝送モードで暗号化特定情報を送信するので、当該特定情報をＩＥＥＥ１３９４規格における最大伝送速度で情報受信装置に送信することができる。
【００２５】
上記の課題を解決するために、請求項６に記載の発明は、他の情報と同期した状態で情報を伝送する第２伝送態様、又は、他の情報と非同期の状態で情報を伝送する第１伝送態様であって前記第２伝送態様による伝送よりも高速で前記情報を伝送する第１伝送態様のいずれかにより前記情報を伝送することが可能なシリアルバス等の伝送手段を介して、情報受信装置に対して前記情報を送信する情報送信方法において、前記情報を暗号化するための暗号処理情報を用いて、当該情報受信装置に送信すべき前記情報である特定情報を暗号化し暗号化特定情報を生成する第１暗号化工程と、前記生成された暗号化特定情報を、前記第１伝送態様により前記伝送手段を介して前記情報受信装置に送信する第１送信工程と、前記暗号処理情報自体をＤＴＣＰ（Digital Transmission Copy Protection）規格に基づいて暗号化し、暗号化処理情報を生成する第２暗号化工程と、前記生成された暗号化処理情報を、前記第２伝送態様により前記伝送手段を介して前記情報受信装置に送信する第２送信工程と、を備える。
【００２６】
よって、暗号化特定情報を高速の第１伝送態様で送信すると共に、暗号化処理情報を第２伝送態様で送信するので、情報受信装置に送信すべき特定情報を暗号化された状態で高速且つ大量に送信することができる。
【００２７】
また、送信前に特定情報が暗号化されるので、当該特定情報の秘匿性を高めつつ情報受信装置に送信することができる。
【００２８】
上記の課題を解決するために、請求項７に記載の発明は、請求項３から５のいずれか一項に記載の情報送信装置から送信された前記暗号化特定情報を受信する情報受信装置であって、前記暗号化特定情報を前記伝送手段から取得するインタフェース部等の第１取得手段と、前記暗号化処理情報を前記伝送手段から取得するインタフェース部等の第２取得手段と、前記取得された暗号化処理情報を解読し、前記暗号処理情報を生成するＤＴＣＰ復号部等の第２解読手段と、前記生成された暗号処理情報を用いて前記暗号化特定情報を解読し、前記特定情報を生成する解読部等の第１解読手段と、を備える。
【００２９】
よって、伝送手段から取得された暗号化処理情報を解読して得られた暗号処理情報を用いて暗号化特定情報を解読するので、高速且つ大量に特定情報を受信することができると共に、特定情報の秘匿性を高めつつこれを受信することができる。
【００３０】
上記の課題を解決するために、請求項８に記載の発明は、請求項７に記載の情報受信装置において、前記生成された特定情報を予め設定された記録媒体に記録する記録手段を更に備える。
【００３１】
よって、秘匿性の高い特定情報を高速に取得して記録媒体に記録することができる。
【００３２】
上記の課題を解決するために、請求項９に記載の発明は、請求項３から５のいずれか一項に記載の情報送信装置から送信された前記暗号化特定情報を受信する情報受信装置における情報受信方法であって、前記暗号化特定情報を前記伝送手段から取得する第１取得工程と、前記暗号化処理情報を前記伝送手段から取得する第２取得工程と、前記取得された暗号化処理情報を解読し、前記暗号処理情報を生成する第２解読工程と、前記生成された暗号処理情報を用いて前記暗号化特定情報を解読し、前記特定情報を生成する第１解読工程と、を備える。
【００３３】
よって、伝送手段から取得された暗号化処理情報を解読して得られた暗号処理情報を用いて暗号化特定情報を解読するので、高速且つ大量に特定情報を受信することができると共に、特定情報の秘匿性を高めつつこれを受信することができる。
【００３４】
上記の課題を解決するために、請求項１０に記載の発明は、他の情報と同期した状態で情報を伝送する第２伝送態様、又は、他の情報と非同期の状態で情報を伝送する第１伝送態様であって前記第２伝送態様による伝送よりも高速で前記情報を伝送する第１伝送態様のいずれかにより前記情報を伝送することが可能な伝送手段と、当該伝送手段を介して前記情報を送信する情報送信装置と、前記送信された情報を前記伝送手段を介して受信すると情報受信装置と、を含む情報伝送システムにおいて、前記情報送信装置は、前記情報を暗号化するための暗号処理情報を用いて、当該情報受信装置に送信すべき前記情報である特定情報を暗号化し暗号化特定情報を生成する第１暗号化手段と、前記生成された暗号化特定情報を、前記第１伝送態様により前記伝送手段を介して前記情報受信装置に送信する第１送信手段と、前記暗号処理情報自体をＤＴＣＰ（Digital Transmission Copy Protection）規格に基づいて暗号化し、暗号化処理情報を生成する第２暗号化手段と、前記生成された暗号化処理情報を、前記第２伝送態様により前記伝送手段を介して前記情報受信装置に送信する第２送信手段と、を備えると共に、前記情報受信装置は、前記暗号化特定情報を前記伝送手段から取得する第１取得手段と、前記暗号化処理情報を前記伝送手段から取得する第２取得手段と、前記取得された暗号化処理情報を解読し、前記暗号処理情報を生成する第２解読手段と、前記生成された暗号処理情報を用いて前記暗号化特定情報を解読し、前記特定情報を生成する第２解読手段と、を備える。
【００３５】
よって、暗号化特定情報を高速の第１伝送態様で送受信すると共に、暗号化処理情報を第２伝送態様で送受信するので、情報受信装置に伝送すべき特定情報を暗号化された状態で高速且つ大量に送受信することができる。
【００３６】
また、送信前に特定情報が暗号化されると共に受診後にこれを解読して暗号化特定情報の解読に用いるので、当該特定情報の秘匿性を高めつつその送受信を実行することができる。
【００３７】
上記の課題を解決するために、請求項１１に記載の発明は、他の情報と同期した状態で情報を伝送する第２伝送態様、又は、他の情報と非同期の状態で情報を伝送する第１伝送態様であって前記第２伝送態様による伝送よりも高速で前記情報を伝送する第１伝送態様のいずれかにより前記情報を伝送することが可能な伝送手段を介して、情報受信装置に対して前記情報を送信する情報送信装置に含まれる送信コンピュータを、前記情報を暗号化するための暗号処理情報を用いて、当該情報受信装置に送信すべき前記情報である特定情報を暗号化し暗号化特定情報を生成する第１暗号化手段、前記生成された暗号化特定情報を、前記第１伝送態様により前記伝送手段を介して前記情報受信装置に送信する第１送信手段、前記暗号処理情報自体をＤＴＣＰ（Digital Transmission Copy Protection）規格に基づいて暗号化し、暗号化処理情報を生成する第２暗号化手段、及び、前記生成された暗号化処理情報を、前記第２伝送態様により前記伝送手段を介して前記情報受信装置に送信する第２送信手段、として機能させるための送信制御プログラムが前記送信コンピュータで読取可能に記録されている。
【００３８】
よって、暗号化特定情報を高速の第１伝送態様で送信すると共に、暗号化処理情報を第２伝送態様で送信するように送信コンピュータを機能させるので、情報受信装置に送信すべき特定情報を暗号化された状態で高速且つ大量に送信することができる。
【００３９】
また、送信前に特定情報が暗号化されるように当該送信コンピュータを機能させるので、当該特定情報の秘匿性を高めつつ情報受信装置に送信することができる。
【００４０】
上記の課題を解決するために、請求項１２に記載の発明は、請求項１１に記載の情報送信装置から送信された前記暗号化特定情報を受信する情報受信装置に含まれる受信コンピュータを、前記暗号化特定情報を前記伝送手段から取得する第１取得手段、前記暗号化処理情報を前記伝送手段から取得する第２取得手段、前記取得された暗号化処理情報を解読し、前記暗号処理情報を生成する第２解読手段、及び、前記生成された暗号処理情報を用いて前記暗号化特定情報を解読し、前記特定情報を生成する第１解読手段、として機能させるための受信制御プログラムが前記受信コンピュータで読取可能に記録されている。
【００４１】
よって、伝送手段から取得された暗号化処理情報を解読して得られた暗号処理情報を用いて暗号化特定情報を解読するように受信コンピュータを機能させるので、高速且つ大量に特定情報を受信することができると共に、特定情報の秘匿性を高めつつこれを受信することができる。
【００４２】
【発明の実施の形態】
次に、本発明に好適な実施の形態について、図面に基づいて説明する。
【００４３】
なお、以下に説明する実施の形態は、放送電波を介して配信される音楽情報等の記録情報をセットトップボックスにより受信し、これをＩＥＥＥ１３９４規格に準拠したシリアルバスを介してレコーダに伝送し、更に当該レコーダにおいて記録可能な光ディスクであるＤＶＤ−Ｒ（DVD‐Recordable）に対して記録する情報伝送システムに対して本発明を適用した場合の実施の形態である。
【００４４】
（Ｉ）ＩＥＥＥ１３９４規格について
先ず、具体的な実施形態について説明する前に、実施形態に係る記録情報が伝送される際に準拠する上記ＩＥＥＥ１３９４規格の概要について説明する。
【００４５】
一般に、当該ＩＥＥＥ１３９４規格においては、複数の情報処理装置（以下、単にノードと称する。）間をシリアルバスにより接続し、これら各ノード間で複数チャンネル分（当該規格においては、一のシリアルバスで接続されている系内では最大で６３個の異なるチャンネルを用いて情報伝送できることが規格化されている。）の情報伝送を時分割的に実行するように規格化されている。
【００４６】
ここで、ＩＥＥＥ１３９４規格（以下、単にシリアルバス規格と称する。）では、既にシリアルバスで相互に接続されているノード群に新たに他のノードを接続する場合（すなわち、バス接続時）又は上記ノード群から一のノードの接続を取り外す場合（すなわち、バス開放時）において、いわゆるバスリセットと称されるシリアルバスの初期化が実行されることが規格化されている。そして、当該バスリセットに伴って以下の処理が実行され、新たなシリアルバスの接続形態（以下、当該接続形態をトポロジと称する。）が構築される。
（１）バスリセットの発生に伴い、当該バスリセットの発生を検出したノード（すなわち、新たに他のノードが接続されたノード又はそれまでの接続が切り離されたノード）がシリアルバスに接続されている全てのノードに対してバスリセットが発生したことを示すバスリセット信号を送出する。
（２）次に、バスリセット後、各ノードをツリー上に接続するためのツリー識別を行う。そして、当該接続されたツリーの頂点に位置するノードをルートノードとして認識する。
（３）次に、認識されたルートノードが、各ノードをツリー系内で識別するための各ノード毎に固有の識別番号（ＩＤ番号）を当該各ノードに認識させる。
（４）次に、当該形成されたツリー内にある全てのノードの通信状態（具体的には、各ノードの使用チャンネル及び後述する伝送占有時間）を管理し、他のノードが識別可能に現在の使用チャンネル及び現在各ノードにおいて占有されている伝送占有時間を表示するノードであるＩＲＭ（Isochronous  Resource  Manager）ノードを設定する。
（５）最後に、全てのノードの情報伝送状態を統括するノードであるバスマネージャノードを設定する。
【００４７】
以上の五段階の処理を経て、バスリセット後の新たなトポロジが構成される。
【００４８】
そして、トポロジの構成後に実際に情報を伝送する場合には、当該情報の伝送を開始しようとするノードである伝送ノードは、上記ＩＲＭノードに対して現在の他のノードによる通信状態を照会し、自己が使用したいチャンネル及び伝送占有時間が使用可能であるならば、当該伝送ノードは情報を伝送する権利を獲得し（より具体的には、伝送ノードが使用するチャンネル及び後述する伝送占有時間を当該伝送ノードが確保して）情報伝送を開始する。このとき、当該情報伝送の直前に、当該伝送ノードは、上記ＩＲＭノードにおける通信状態の表示を書き換える旨（すなわち、当該伝送ノードが情報伝送を開始することによりシリアルバス上の使用中チャンネル及び伝送占有時間が変化するので、この変化後の新しい通信状態に当該表示内容を書き換える必要がある。）をＩＲＭノードに伝送し、これを受けたＩＲＭノードはその表示内容を更新する処理を夫々実行する。この後は、当該更新後の表示内容が他のノードから夫々参照することが可能となるのである。
【００４９】
次に、上記伝送占有時間について略説する。
【００５０】
ＩＥＥＥ１３９４規格においては、各ノードからの情報はアイソクロナスサイクル（ここで、「サイクル」とは、シリアルバス上を時分割的に分割して形成される一のサイクルをいう。）と称される単位毎に纏められて送信される。このアイソクロナスサイクルには、他のアイソクロナスサイクル内に含まれる情報と同期して伝送される情報（具体的には、画像情報又はオーディオ情報等）が含まれるアイソクロナス伝送領域と、他の情報とは無関係に非同期で伝送される情報（具体的には、上記画像情報又はオーディオ情報の出力等を制御するための制御情報等）が含まれるアシンクロナス伝送領域とが含まれている。そして、このアイソクロナス伝送領域内の情報が異なったチャンネル毎に時分割されており、夫々のチャンネル毎に異なった情報が伝送される。ここで、アイソクロナス伝送領域を用いて情報を伝送する場合をアイソクロナス伝送モードと称し、一方、アシンクロナス伝送領域を用いて情報を伝送する場合をアシンクロナス伝送モードと称する。
【００５１】
このとき、当該アイソクロナス伝送領域においては、一のアイソクロナスサイクル内におけるアイソクロナス伝送領域の時間的長さが最大で１００μsecであることが規格化されており、従って、一のアイソクロナス伝送領域内の各チャンネルに割り当てられる情報がその伝送のために占有する時間の合計も１００μsec以下とする必要がある。この時、当該一のチャンネルがアイソクロナスサイクル内で占有する伝送時間が上記伝送占有時間である。
【００５２】
なお、この伝送占有時間は、場合によってはシリアルバスの使用帯域と称されることもあり、また、シリアルバスの使用容量と称される場合もある。一方、一のアイソクロナスサイクル内において、アイソクロナス伝送領域の長さが１００μsec未満（零の場合も含む。）であるときは、当該アイソクロナス伝送領域以外のアイソクロナスサイクル内の時間は専らアシンクロナス伝送領域として用いられる。
【００５３】
次に、上記シリアルバス規格についてより具体的に図１乃至図３を用いて説明する。
【００５４】
なお、図１は当該シリアルバス規格におけるトポロジの一形態を例示する図であり、図２はシリアルバス上の伝送形態を例示する図であり、図３はアイソクロナスサイクルの構成を示す図である。
【００５５】
上記シリアルバス規格は、現存する又は将来考えられる種々の電気製品を含む情報処理装置全てをシリアルに接続し、相互に情報の授受を行おうとするためのシリアルバスの規格である。
【００５６】
より具体的には、各ノードの接続時の設定が全て自動で行なわれ、更に電源を断にすることなく新たなノードを接続することが可能となっている。
【００５７】
一方、情報伝送の態様については、１００Ｍbps（bit  per  second）乃至４００Ｍbpsの範囲で高速伝送が可能であり、更にリアルタイム伝送、双方向伝送及び多チャンネル伝送により多種の情報を双方向に伝送することが可能となっている。
【００５８】
また、各ノードの接続の形態については、図１（ａ）に示す情報システムＪのように、例えば、パーソナルコンピュータＰＣをルートノード（上述したように、ツリー状トポロジにおける頂点のノード）として、ＣＤプレーヤＣＰ、ＭＤ（Mini  Disc）プレーヤＭＰ、デジタルビデオカメラＤＶＣ、プリンタＰＲ、ＬＤ（LASER  Disc）プレーヤＬＰ、チューナＴ、スピーカＳＰ、アンプＡＰ、テレビジョン装置ＴＶ、ディジタルビデオテープレコーダＶＴ、ＤＶＤプレーヤＤＶ及び放送電波受信用のセットトップボックスＳＢ等の種々の電気製品をシリアルバスＢにより夫々接続し、これらをパーソナルコンピュータＰＣにより統括して制御することが可能となっている。
【００５９】
ここで、当該シリアルバス規格においては、一つの系（シリアルバスＢでツリー状に接続されている系）の中に含むことが可能な情報処理装置（上記ノードに相当する。）の数は最大で６３個であり、更に、一つの系の中に二つのノード間の接続を最大で１６個まで含ませることができる。なお、当該一つの系内で複数のノードＮＤを図１（ｂ）に示すようにループ状に接続することは規格上禁止されている。
【００６０】
次に、実際の伝送形態について、具体的に例示しつつ説明する。
【００６１】
始めに、図２（ａ）に示すように、デジタルビデオカメラＤＶＣ、ディジタルビデオテープレコーダＶＴ、パーソナルコンピュータＰＣ及びセットトップボックスＳＢが夫々ノードとして相互にシリアルバスＢにより接続され、情報伝送を行っているとする。より具体的には、デジタルビデオカメラＤＶＣからはビデオデータを、ディジタルビデオテープレコーダＶＴからは所定の制御コマンドを、パーソナルコンピュータＰＣからは同様に他の機器を制御するための制御コマンドを、セットトップボックスＳＢからは受信した放送電波に含まれていた画像データ（例えば、ＭＰＥＧ（Moving  Picture  Expert  Group）規格により圧縮されたＭＰＥＧデータ）を、夫々シリアルバスＢ上に送出しているとする。
【００６２】
この場合、シリアルバスＢ上における送出された各情報の伝送形態としては、図２（ｂ）に示すように、夫々のノードからの情報が、シリアルバスＢ上を時分割的に夫々占有しつつ伝送される。そして、各情報は、１２５μsecの長さを有するシリアルバスＢ上の同期単位である上記アイソクロナスサイクルＩＣ内に挿入されて伝送される。
【００６３】
次に、上記アイソクロナスサイクルＩＣ内のデータ構造について、図３を用いて説明する。
【００６４】
先ず、図３に示すように、アイソクロナスサイクルＩＣは、全てのノードの基準時刻を合わせるためにアイソクロナスサイクルＩＣの先頭に常に挿入されるサイクルスタートパケットＣＳＰと、複数チャンネル分のアイソクロナスパケットＩＰにより構成され、時間的に同期した情報が夫々のアイソクロナスパケットＩＰに含まれることにより構成されているアイソクロナス伝送領域ＩＣＴと、非同期の情報（例えば、種々の制御情報及び当該各制御情報に対応する応答情報等）が含まれているアシンクロナス伝送領域ＡＣＴと、により構成されている。
【００６５】
また、各アイソクロナス伝送領域ＩＣＴの最後尾及びアシンクロナス伝送領域ＡＣＴの最後尾には、一のアイソクロナス伝送領域ＩＣＴの終了又は一のアシンクロナス伝送領域ＡＣＴの終了を示す時間的間隙であるサブアクションギャップＳＧが挿入されている。更に、各アイソクロナスパケットＩＰの間及びサイクルスタートパケットＣＳＰと先頭のアイソクロナスパケットＩＰの間には、夫々のパケットの終了を示す時間的間隙であるアイソクロナスギャップＩＧが挿入されている。このとき、上記サブアクションギャップＳＧの長さはアイソクロナスギャップＩＧの長さよりも長く設定されている。
【００６６】
次に、一のアイソクロナスパケットＩＰは、各アイソクロナスパケットＩＰ内のデータ量を示す情報や各アイソクロナスパケットＩＰ内の情報を伝送するチャンネルを示す情報等を含むＩＰ（Isochronous  Packet）ヘッダＩＰＨと、ＣＩＰヘッダＣＩＰＨと、実際の映像情報又は音声情報を含むデータ領域ＤＦと、により構成されている。
【００６７】
一方、アシンクロナス伝送領域ＡＣＴは、各ノードからの情報の送出を行った旨の意志表示を当該各ノードが行うための時間的間隙であるアービトレーションリセットギャップＡＰＧと、非同期に伝送される制御情報等のデータが含まれるデータパケットＤＰと、送信先のノードからの返信に用いられるデータが含まれるアクノリッジパケットＡＣＰとにより構成されている。ここで、データパケットＤＰとアクノリッジパケットＡＣＰとの間には、一のデータパケットＤＰの終了を示す時間的間隙であるアシンクロナスギャップＡＧが挿入されている。
【００６８】
次に、一のデータパケットＤＰは、各データパケットＤＰの宛先を示す情報を含むＡＰ（Asynchronous  Packet）ヘッダＡＰＨと、アシンクロナス伝送領域ＡＣＴを占有するデータパケットＤＰの伝送占有時間を示す情報及び占有するチャンネルを示す情報又は実際の制御情報等を含むデータ領域ＡＤＦと、により構成されている。
【００６９】
上記したシリアルバス規格によれば、パーソナルコンピュータ等の情報処理装置から高速に制御情報を伝送することにより、家庭電化製品又はＤＶＤプレーヤ等の音響映像装置等を一元的に制御することが可能となると共に、各ノード間でも画像情報又はオーディオ情報等を迅速且つ正確に相互伝送することが可能となる。
【００７０】
（II）実施形態
次に、上述したシリアルバス規格により音楽情報等を含む記録情報が伝送される実施形態に係る情報伝送システムについて、図４を用いて説明する。
【００７１】
図４に示すように、実施形態の情報伝送システムＳは、外部から放送電波を介して送信されてくる記録情報Ｓinを受信し、後述する処理を施してレコーダＲに出力する情報送信装置としてのセットトップボックスＢＸと、当該セットトップボックスＢＸとＩＥＥＥ１３９４規格に準拠した伝送手段としてのシリアルバスＢにより接続されていると共に、当該出力された記録情報ＳinをＤＶＤ−Ｒ１に記録する情報受信装置としての上記レコーダＲと、により構成されている。
【００７２】
また、セットトップボックスＢＸは、フロントエンド部２０と、デスクランブラ２１と、デマルチプレクサ２２と、音声デコーダ２３と、画像デコーダ２４と、ＣＰＵ２５と、メモリ２６と、抽出部２７と、変換回路２８と、第１暗号化手段としての暗号化部２９と、第１授受手段、第２授受手段、第１送信手段及び第２送信手段としてのインタフェース部３０と、により構成されており、当該各構成部材はバス３１を介して相互に制御情報等の授受が可能とされている。
【００７３】
更に、インタフェース部３０は、コントローラ３０Ａと、第２暗号化手段としてのＤＴＣＰ暗号化部３０Ｂと、リンク層形成部３０Ｃと、物理層形成部３０Ｄと、付随するメモリ３２と、により構成されている。
【００７４】
一方、レコーダＲは、ピックアップ２と、アンプ３と、復調部４と、復号化部５と、音声デコーダ６と、画像デコーダ７と、メモリ８と、記録手段としてのＣＰＵ９と、変調部１０と、暗号化部１１と、音声エンコーダ１２と、画像エンコーダ１３と、第１授受手段、第２授受手段、第１取得手段及び第２取得手段としてのインタフェース部１４と、メモリ１６と、第１解読手段としての解読部１７と、により構成されており、メモリ１６及び解読部１７を除く各構成部材はバス１５を介して相互に制御情報等の授受が可能とされている。
【００７５】
また、インタフェース部１４は、コントローラ１４Ａと、第２解読手段としてのＤＴＣＰ復号部１４Ｂと、リンク層検出部１４Ｃと、物理層検出部１４Ｄと、により構成されている。
【００７６】
次に、セットトップボックスＢＸ及びレコーダＲにおける動作について説明する。
【００７７】
（ｉ）一般動作
始めに、本発明に係る部分以外の一般的な動作について説明する。
【００７８】
なお、実施形態のセットトップボックスＢＸは、上述した如くレコーダＲへの記録情報の伝送に加えて、受信した音楽情報等の図示しないテレビジョン装置等への出力も可能とされている。
【００７９】
また、実施形態のレコーダＲは、セットトップボックスＢＸから伝送された記録情報をＤＶＤ−Ｒ１に記録するだけでなく、セットトップボックスＢＸ以外の他の装置から出力された記録情報ＳinnをＤＶＤ−Ｒ１に記録すると共に、当該ＤＶＤ−Ｒ１にそれまでに記録されている音楽情報等を再生し、出力信号Ｓoutとして外部に出力することも可能とされている。
【００８０】
先ず、セットトップボックスＢＸにおいて、外部から入力される記録情報Ｓinを上記図示しないテレビジョン装置に出力する場合の動作について説明する。
【００８１】
この場合に、当該記録情報Ｓinには、上記音楽情報と共に画像情報が含まれており、これらの各情報は夫々圧縮されると共に暗号化されて入力される。
【００８２】
そして、フロントエンド部２０は、当該記録情報Ｓinに対して予め設定された受信処理を施し、受信信号Ｓfeを生成してデスクランブラ２１に出力する。
【００８３】
次に、デスクランブラ２１は、当該受信信号Ｓfeに含まれている音声情報及び画像情報における暗号化を解読し、解読信号Ｓdsを生成してデマルチプレクサ２２へ出力する。
【００８４】
これにより、デマルチプレクサ２２は、解読信号Ｓds内に含まれている音声情報と画像情報とを分離し、当該分離した音声情報を音声信号Ｓasとして音声デコーダ２３へ出力すると共に、更に当該分離した画像情報を画像信号Ｓvsとして画像デコーダ２４へ出力する。
【００８５】
そして、音声デコーダ２３は、当該音声信号Ｓasを復号し、音声出力信号Ｓadとして図示しないテレビジョン装置へ出力する。
【００８６】
他方、画像デコーダ２４は、当該画像信号Ｓvsを復号し、画像出力信号Ｓvdとして同じく図示しないテレビジョン装置へ出力する。
【００８７】
このとき、ＣＰＵ２５は、バス３１を介して必要な制御情報の授受を行いつつ上記各構成部材を統括制御する。また、当該統括制御に必要な情報はバス３１を介して一時的にメモリ２６に記憶されつつ当該統括制御に用いられる。
【００８８】
次に、レコーダＲにおいて、外部から入力される記録情報ＳinnをＤＶＤ−Ｒ１に記録する場合の動作について説明する。
【００８９】
この場合にも、当該記録情報Ｓinnには、音楽情報と共に画像情報が含まれて入力される。
【００９０】
そして、画像エンコーダ１３は、当該記録情報Ｓinnにおける画像情報に対して予め設定された変調処理及び暗号化処理を施し、記録用の画像情報を生成する。
【００９１】
また、音声エンコーダ１２は、当該記録情報Ｓinnにおける音声情報に対して上記画像情報に対する変調処理に対応する変調処理及び暗号化処理を施し、記録用の音声情報を生成する。
【００９２】
次に、暗号化部１１は、上記記録用の画像情報及び記録用の音声情報を含む記録信号Ｓevに対して予め設定されたＤＶＤ−Ｒ１への記録用の暗号化処理（具体的には、いわゆるＳＤＭＩ（Secure  Digital  Music  Initiative）規格に基づく暗号化処理等）を施し、暗号化記録信号Ｓarを生成して変調部１０へ出力する。
【００９３】
そして、変調部１０は、当該暗号化記録信号Ｓarに基づいて、ピックアップ２内に設けられた記録用の光ビームＢをＤＶＤ−Ｒ１に対して照射するための図示しない半導体レーザを駆動して、当該暗号化記録信号Ｓarに含まれている記録すべき情報に対応して強度変化する当該光ビームＢを射出させるための強度制御信号Ｓdを生成してピックアップ２に出力する。
【００９４】
その後、ピックアップ２は、当該強度制御信号Ｓdに基づいて上記図示しない半導体レーザを駆動し、記録用の光ビームＢを射出してＤＶＤ−Ｒ１に対する上記画像情報及び音声情報の記録を行う。
【００９５】
このとき、ＣＰＵ９は、バス１５を介して必要な制御情報の授受を行いつつ上記各構成部材を統括制御する。また、当該統括制御に必要な情報はバス１５を介して一時的にメモリ８に記憶されつつ当該統括制御に用いられる。
【００９６】
以上の一連の動作により、記録情報Ｓinnに含まれている各情報がＤＶＤ−Ｒ１上に記録されることとなる。
【００９７】
次に、レコーダＲにおいて、ＤＶＤ−Ｒ１に既に記録されている記録情報を再生する場合の動作について説明する。
【００９８】
当該再生時においては、ピックアップ２は、再生用の一定強度の光ビームＢを射出し、その反射光を図示しない受光部で受光して、当該反射光の強度変化に対応して変化する検出信号を生成してアンプ３へ出力する。
【００９９】
次に、アンプ３は、当該検出信号に対して予め設定された増幅処理及び波形整形処理等を施し、再生信号Ｓpを生成して復調部４へ出力する。
【０１００】
そして、復調部４は、再生信号Ｓpに対して予め設定された復調処理を施し、復調信号Ｓdmを生成して復号化部５へ出力する。
【０１０１】
次に、復号化部５は、当該復調信号Ｓdmに含まれている音声情報及び画像情報における暗号化を解読し、解読信号Ｓdcを生成して音声デコーダ６及び画像デコーダ７へ出力する。
【０１０２】
これにより、音声デコーダ６は、解読信号Ｓdcに含まれている音声情報を復号し、復号音声情報を生成する。
【０１０３】
また、画像デコーダ７は、解読信号Ｓdcに含まれている画像情報を復号し、復号画像情報を生成する。
【０１０４】
そして、当該復号された復号音声情報及び復号画像情報は、復号出力信号Ｓoutとして図示しないテレビジョン装置等に纏めて出力される。
【０１０５】
このとき、ＣＰＵ９は、バス１５を介して必要な制御情報の授受を行いつつ上記各構成部材を統括制御する。また、当該統括制御に必要な情報はバス１５を介して一時的にメモリ８に記憶されつつ当該統括制御に用いられる。
【０１０６】
以上の一連の動作により、ＤＶＤ−Ｒ１に記録されている記録情報が再生されて外部に出力されることとなる。
【０１０７】
（ii）本発明に係る動作
次に、本発明に係るセットトップボックスＢＸ及びレコーダＲの動作について説明する。
【０１０８】
セットトップボックスＢＸにおいて受信した記録情報ＳinをレコーダＲに伝送し、更にＤＶＤ−Ｒ１に記録する場合には、始めに、セットトップボックスＢＸに対して記録情報Ｓinが入力されると、上記したフロントエンド部２０及びデスクランブラ２１の動作により、上記解読信号Ｓdsが生成され、抽出部２７に出力される。
【０１０９】
これにより、抽出部２７は、当該解読信号ＳdsからＤＶＤ−Ｒ１に記録すべき記録情報のみを抽出し、抽出信号Ｓdvとして変換回路２８へ出力する。
【０１１０】
そして、変換回路２８は、当該抽出信号Ｓdvにおけるフォーマット形式をＤＶＤ−Ｒ１へ記録するための記録フォーマット形式に変換し、変換信号Ｓmvを生成して暗号化部２９へ出力する。
【０１１１】
次に、暗号化部２９は、ＣＰＵ２５に格納されている予め設定されている暗号化用の暗号処理情報ＥＣを読み出し、これに含まれている予め設定された暗号化キー並びに暗号化テーブルを用いて予め設定されている暗号化処理により変換信号Ｓmvを暗号化し、暗号化信号Ｓxを生成してインタフェース部３０へ出力する。
【０１１２】
なお、図４においては、当該暗号処理情報ＥＣの流れを破線で示している。
【０１１３】
これと並行して、当該暗号化部２９は、変換信号Ｓmvの暗号化に用いた上記暗号処理情報ＥＣをそのままインタフェース部３０へ出力する。
【０１１４】
そして、インタフェース部３０内のコントローラ３０Ａは、メモリ３２との間で必要な情報の授受をメモリ信号Ｓmとして実行しつつ、暗号化信号Ｓxをそのままリンク層形成部３０Ｃに出力すると共に、暗号処理情報ＥＣをそのままＤＴＣＰ暗号化部３０Ｂへ出力する。
【０１１５】
これにより、ＤＴＣＰ暗号化部３０Ｂは、上記ＤＴＣＰ規格に準拠した暗号化方法により暗号処理情報ＥＣ自体を暗号化し、暗号化処理情報Ｓaeを生成してリンク層形成部３０Ｃへ出力する。
【０１１６】
そして、リンク層形成部３０Ｃは、シリアルバス規格に準拠して暗号化信号Ｓx及び暗号化処理情報Ｓaeに含まれるデータを用いてアイソクロナスサイクルＩＣとしてのリンク層を形成し、リンク信号Ｓlkを生成して物理層形成部２４へ出力する。
【０１１７】
このとき、当該形成されるアイソクロナスサイクルＩＣにおいては、暗号化信号Ｓxがアシンクロナス伝送領域ＡＣＴ内のデータパケットＤＰ内に格納されて伝送されるように当該リンク層が形成されると共に、暗号化処理情報Ｓaeがアイソクロナス伝送領域ＩＣＴ内のいずれかのアイソクロナスパケットＩＰ内に格納されて伝送されるように当該リンク層が形成される。
【０１１８】
これらにより、物理層形成部２４は、シリアルバス規格に準拠してリンク信号Ｓlkに含まれるデータを用いてアイソクロナスサイクルＩＣとしての物理層を形成し、最終的に当該アイソクロナスサイクルＩＣを生成してシリアルバスＢを介してレコーダＲに出力する。
【０１１９】
このとき、データパケットＤＰ内に格納されて伝送される暗号化信号Ｓxは、シリアルバス規格における最大伝送速度（例えば、４００Ｍbps）を用いて伝送されるが、アイソクロナスパケットＩＰ内に格納されて伝送される暗号化処理情報Ｓaeは、当該アイソクロナスパケットＩＰによる伝送が上記ＤＴＣＰ規格に準拠しなければならないこととされている関係上、ＤＶＤ−Ｒ１への記録後の再生時における再生速度と同様の伝送速度により伝送される。
【０１２０】
これらの動作と並行して、ＣＰＵ２５は、バス３１を介して必要な制御情報の授受を行いつつインタフェース部３０を含む上記各構成部材の制御を行う。
【０１２１】
次に、当該アイソクロナスサイクルＩＣをシリアルバスＢから受信したレコーダＲにおいては、先ず、インタフェース部１４内の物理層検出部１４Ｄが、当該受信したアイソクロナスサイクルＩＣ内の各物理層を検出し、リンク層としての当該アイソクロナスサイクルＩＣを復元し、リンク信号Ｓlkを生成してリンク層検出部１４Ｃへ出力する。
【０１２２】
そして、リンク層検出部１４Ｃは、当該リンク信号Ｓlkから上記アイソクロナスパケットＩＰ及びデータパケットＤＰを分離抽出し、当該データパケットＤＰ内に格納されている上記暗号化信号Ｓxをコントローラ１４Ａに出力すると共に、上記アイソクロナスパケットＩＰに格納されている暗号化処理情報ＳaeをＤＴＣＰ復号部１４Ｂへ出力する。
【０１２３】
これにより、ＤＴＣＰ復号部１４Ｂは、暗号化処理情報Ｓaeに対して上記ＤＴＣＰ暗号化部３０Ｂにおける暗号化処理に対応したＤＴＣＰ規格に準拠した解読処理を施し、上記暗号処理情報ＥＣを復元してコントローラ１４Ａへ出力する。
【０１２４】
そして、コントローラ１４Ａは、メモリ１６との間で必要な情報の授受をメモリ信号Ｓmとして実行しつつ、暗号化信号Ｓx及び暗号処理情報ＥＣを共にそのまま解読部１７に出力する。
【０１２５】
次に、解読部１７は、当該暗号処理情報ＥＣを用いて、上記暗号化部２９における暗号化処理に対応する解読処理を暗号化信号Ｓxに対して施し、元の上記変換信号Ｓmvを復元して暗号化部１１へ出力する。
【０１２６】
これ以後は、上記暗号化部１１及び変調部１０において、変換信号Ｓmvに含まれる記録情報に対する暗号化処理（ＤＶＤ−Ｒ１に記録されていた当該ＤＶＤ−Ｒ１を個別識別するための識別情報に基づく暗号化処理）及び変調処理（上記した一般動作の場合と同様の強度制御信号Ｓdの生成処理）が施され、その後、ピックアップ２によりセットトップボックスＢＸから伝送されてきた当該記録情報がＤＶＤ−Ｒ１に記録されることとなる。
【０１２７】
このとき、ＣＰＵ９は、バス１５を介して必要な制御情報の授受を行いつつ上記記録動作を統括制御する。
【０１２８】
以上の一連の動作により、セットトップボックスＢＸにおいて受信された記録情報Ｓinに含まれている各情報がＤＶＤ−Ｒ１上に記録される。
【０１２９】
以上説明したように、実施形態に係るセットトップボックスＢＸ及びレコーダＲの動作によれば、レコーダＲに伝送すべき記録情報を暗号化した暗号化信号ＳxをデータパケットＤＰを用いて高速に伝送すると共に、当該暗号化に用いられた暗号処理情報ＥＣ（暗号化キー及び暗号化テーブル）を暗号化した暗号化処理情報ＳaeをアイソクロナスパケットＩＰを用いて伝送するので、当該記録情報を暗号化された状態で高速且つ大量に送信することができる。
【０１３０】
また、伝送前に記録情報が暗号化されているので、当該記録情報の秘匿性を高めつつレコーダＲに伝送することができる。
【０１３１】
（III）変形形態
次に、本発明に係る変形形態について説明する。
【０１３２】
上述した実施形態においては、暗号処理情報ＥＣが予めセットトップボックスＢＸのＣＰＵ２５内に備えられている場合について説明したが、これ以外に、以下のような態様で情報を授受する場合に本発明を適用することもできる。
【０１３３】
すなわち、先ず、上記ＤＶＤ−Ｒ１個々を他のＤＶＤ−Ｒから識別するための上記識別情報をレコーダＲにおいて当該ＤＶＤ−Ｒ１から検出し、これを（必要に応じて当該レコーダＲにおいて暗号化した上で）アイソクロナスパケットＩＰを用いてセットトップボックスＢＸに伝送する。
【０１３４】
次に、セットトップボックスＢＸにおいては当該識別情報を（それが暗号化されている場合はこれを解読した上で）暗号処理情報ＥＣ（暗号化キー）として用いて上記変換信号Ｓmvを暗号化して上記暗号化信号Ｓxを生成し、これをデータパケットＤＰを用いてレコーダＲに高速に伝送（返信）した後に当該レコーダＲにおいてＤＶＤ−Ｒ１に記録するのである。
【０１３５】
このような変形形態による場合でも、レコーダＲに伝送すべき記録情報の暗号化に用いられる識別情報をアイソクロナスパケットＩＰを用いてセットトップボックスＢＸに伝送すると共に、これを用いて暗号化された暗号化信号ＳxをデータパケットＤＰを用いて高速にレコーダＲに返信するので、当該記録情報を暗号化された状態で高速且つ大量に送信することができることとなる。
【０１３６】
このとき、上述した変形形態において、セットトップボックスＢＸにおける識別情報を用いた暗号化の際に、当該暗号化方法をＤＶＤ−Ｒ１に情報を記録する際に暗号化部１１において用いられる暗号化処理方法と同様の方法とすれば、レコーダＲにおいては返信されてきた暗号化信号Ｓxをそのまま直接ＤＶＤ−Ｒ１に記録すれば足りることとなるので、より簡便且つ高速に記録情報をレコーダＲに伝送してＤＶＤ−Ｒ１に記録することができる。
【０１３７】
なお、上述の実施形態及び変形形態においては、レコーダＲにおいてＤＶＤ−Ｒ１に記録情報を記録する場合について説明したが、これ以外に、ＤＶＤ−ＲＷ（DVD‐Re‐Recordable）又はＤＶＤ−ＲＡＭ（DVD‐Random  Access  Memory）等の他の光ディスク、或いは半導体メモリ等の固体メモリをレコーダＲにおける記録媒体として用いることもできる。
【０１３８】
また、上述した一連の記録処理を各ＣＰＵ９及び２５において統括制御するための制御プログラムを情報記録媒体としてのフレキシブルディスク又はハードディスク等の記録しておき、コンピュータとしてのマイクロプロセッサ等によりこれを読み出して実行することにより、一般のパーソナルコンピュータ又はサーバ等を上記ＣＰＵ９又は２５として機能させることも可能である。
【０１３９】
更に、上述したセットトップボックスＢＸをシリアルバスＢを介して記録情報を再生する機能のみを有するプレーヤに伝送し、当該プレーヤにおいて伝送された記録情報を再生・出力するように構成することもできる。
【０１４０】
【発明の効果】
以上説明したように、請求項１に記載の発明によれば、暗号化特定情報を高速の第１伝送態様で送受信すると共に、暗号処理情報をＤＴＣＰ（Digital Transmission Copy Protection）規格に基づいて暗号化し、該暗号化された情報を第２伝送態様で送受信するので、情報処理装置間で送受信すべき特定情報を暗号化された状態で高速且つ大量に送受信することができる。
【０１４１】
また、送信前に特定情報が暗号化されるので、当該特定情報の秘匿性を高めつつ送信することができる。
【０１４２】
請求項２に記載の発明によれば、暗号化特定情報を高速の第１伝送態様で送受信すると共に、暗号処理情報をＤＴＣＰ（Digital Transmission Copy Protection）規格に基づいて暗号化し、該暗号化された情報を第２伝送態様で送受信するので、情報処理装置間で送受信すべき特定情報を暗号化された状態で高速且つ大量に送受信することができる。
【０１４３】
また、送信前に特定情報が暗号化されるので、当該特定情報の秘匿性を高めつつ送信することができる。
【０１４４】
請求項３に記載の発明によれば、送信すべき特定情報を暗号化した暗号化特定情報を高速の第１伝送態様で送信すると共に、当該暗号化に用いられた暗号処理情報をＤＴＣＰ規格に基づいて暗号化した暗号化処理情報を第２伝送態様で送信するので、当該特定情報を暗号化された状態で高速且つ大量に送信することができる。
【０１４５】
また、送信前に特定情報が暗号化されているので、当該特定情報の秘匿性を高めつつ情報受信装置に送信することができる。
【０１４６】
請求項４に記載の発明によれば、請求項３に記載の発明の効果に加えて、特定情報がＡＶ情報であると共に、暗号処理情報が当該ＡＶ情報を暗号化するための暗号化キー及び暗号化テーブルであるので、必要なＡＶ情報を秘匿性を高めつつ高速且つ大量に送信することができる。
【０１４７】
請求項５に記載の発明によれば、請求項３又は４に記載の発明の効果に加えて、ＩＥＥＥ１３９４規格に準拠したアイソクロナス伝送モードで暗号化特定情報を送信するので、当該特定情報をＩＥＥＥ１３９４規格における最大伝送速度で情報受信装置に送信することができる。
【０１４８】
請求項６に記載の発明によれば、送信すべき特定情報を暗号化した暗号化特定情報を高速の第１伝送態様で送信すると共に、当該暗号化に用いられた暗号処理情報をＤＴＣＰ規格に基づいて暗号化した暗号化処理情報を第２伝送態様で送信するので、当該特定情報を暗号化された状態で高速且つ大量に送信することができる。
【０１４９】
また、送信前に特定情報が暗号化されているので、当該特定情報の秘匿性を高めつつ情報受信装置に送信することができる。
【０１５０】
請求項７に記載の発明によれば、取得された暗号化処理情報を解読して得られた暗号処理情報を用いて取得された暗号化特定情報を解読するので、高速且つ大量に特定情報を受信することができると共に、特定情報の秘匿性を高めつつこれを受信することができる。
【０１５１】
請求項８に記載の発明によれば、請求項７に記載の発明の効果に加えて、生成された特定情報を記録媒体に記録するので、秘匿性の高い特定情報を高速に取得して記録媒体に記録することができる。
【０１５２】
請求項９に記載の発明によれば、取得された暗号化処理情報を解読して得られた暗号処理情報を用いて取得された暗号化特定情報を解読するので、高速且つ大量に特定情報を受信することができると共に、特定情報の秘匿性を高めつつこれを受信することができる。
【０１５３】
請求項１０に記載の発明によれば、特定情報を暗号化した暗号化特定情報を高速の第１伝送態様で送受信すると共に、当該暗号化に用いられた暗号処理情報をＤＴＣＰ規格に基づいて暗号化した暗号化処理情報を第２伝送態様で送受信するので、当該特定情報を暗号化された状態で高速且つ大量に送受信することができる。
【０１５４】
また、送信前に特定情報が暗号化されると共に受診後にこれを解読して暗号化特定情報の解読に用いるので、当該特定情報の秘匿性を高めつつその送受信を実行することができる。
【０１５５】
請求項１１に記載の発明によれば、送信すべき特定情報を暗号化した暗号化特定情報を高速の第１伝送態様で送信すると共に、当該暗号化に用いられた暗号処理情報をＤＴＣＰ規格に基づいて暗号化した暗号化処理情報を第２伝送態様で送信するように送信コンピュータを機能させるので、当該特定情報を暗号化された状態で高速且つ大量に送信することができる。
【０１５６】
また、送信前に特定情報が暗号化されるように送信コンピュータを機能させるので、当該特定情報の秘匿性を高めつつ情報受信装置に送信することができる。
【０１５７】
請求項１２に記載の発明によれば、取得された暗号化処理情報を解読して得られた暗号処理情報を用いて取得された暗号化特定情報を解読するように受信コンピュータを機能させるので、高速且つ大量に特定情報を受信することができると共に、特定情報の秘匿性を高めつつこれを受信することができる。
【図面の簡単な説明】
【図１】ＩＥＥＥ１３９４規格により接続された電気製品（ノード）の例を示す図であり、（ａ）はシリアル接続された電気機器の例を示す図であり、（ｂ）はループ接続を示す図である。
【図２】シリアルバス上の伝送形態を例示する図である。
【図３】アイソクロナスサイクルの構成を示す図である。
【図４】実施形態の情報伝送システムの概要構成を示すブロック図である。
【符号の説明】
１…ＤＶＤ−Ｒ
２…ピックアップ
３…アンプ
４…復調部
５…復号化部
６…音声デコーダ
７…画像デコーダ
８、１６、２６、３２…メモリ
９、２５…ＣＰＵ
１０…変調部
１１…暗号化部
１２…音声エンコーダ
１３…画像エンコーダ
１４、３０…インタフェース部
１４Ａ、３０Ａ…コントローラ
１４Ｂ…ＤＴＣＰ復号部
１４Ｃ…リンク層検出部
１４Ｄ…物理層検出部
１５、３１…バス
１７…解読部
２０…フロントエンド部
２１…デスクランブラ
２２…デマルチプレクサ
２３…音声デコーダ
２４…画像デコーダ
２７…抽出部
２８…変換回路
２９…暗号化部
３０Ｂ…ＤＴＣＰ暗号化部
３０Ｃ…リンク層形成部
３０Ｄ…物理層形成部
Ｓ…情報伝送システム
Ｊ…情報システム
ＢＸ、ＳＢ…セットトップボックス
ＥＣ…暗号処理情報
Ｂ…シリアルバス
Ｒ…レコーダ
ＮＤ…ノード
ＰＣ…パーソナルコンピュータ
ＣＰ…ＣＤプレーヤ
ＭＰ…ＭＤプレーヤ
ＤＶＣ…デジタルビデオカメラ
ＰＲ…プリンタ
ＬＰ…ＬＤプレーヤ
Ｔ…チューナ
ＳＰ…スピーカ
ＡＰ…アンプ
ＴＶ…テレビジョン装置
ＶＴ…ディジタルビデオテープレコーダ
ＤＶ…ＤＶＤプレーヤ
ＩＣ…アイソクロナスサイクル
ＣＳＰ…サイクルスタートパケット
ＩＣＴ…アイソクロナス伝送領域
ＡＣＴ…アシンクロナス伝送領域
ＡＰＧ…アービトレーションリセットギャップ
ＤＰ…データパケット
ＡＣＰ…アクノリッジパケット
ＡＰＨ…ＡＰヘッダ
ＳＧ…サブアクションギャップ
ＩＧ…アイソクロナスギャップ
ＡＧ…アシンクロナスギャップ
ＩＰＨ…ＩＰヘッダ
ＩＰ…アイソクロナスパケット
ＣＩＰＨ…ＣＩＰヘッダ
Ｓin、Ｓinn…記録情報
Ｓout…出力信号
Ｓfe…受信信号
Ｓds、Ｓdc…解読信号
Ｓas…音声信号
Ｓvs…画像信号
Ｓad…音声出力信号
Ｓvd…画像出力信号
Ｓev…記録信号
Ｓar…暗号化記録信号
Ｓd…強度制御信号
Ｓp…再生信号
Ｓdm…復調信号
Ｓout…復号出力信号
Ｓdv…抽出信号
Ｓmv…変換信号
Ｓx…暗号化信号
Ｓlk…リンク信号
Ｓae…暗号化処理情報
Ｓm…メモリ信号
【図１】
0003983463.tif 000002
【図２】
0003983463.tif 000003
【図３】
0003983463.tif 000004
【図４】
0003983463.tif 000005